(57)【要約】【課題】ディスプレイの端部のカラー線を低減するシステムを提供する。【解決手段】ディスプレイの端部のカラー線を低減するためのシステムであって、該ディスプレイは、周辺領域及び非周辺領域を有し、該非周辺領域は少なくともディスプレイの中央画像表示部を含み、該周辺領域は少なくともディスプレイの一つの画像表示端部を含み、該周辺領域及び該非周辺領域は複数のサブピクセルを有し、周辺領域に配置された該サブピクセルの明度は非周辺領域に配置されたサブピクセルの明度よりも小さくされている。【選択図】図３
2007140430.tif 000002
【特許請求の範囲】
【請求項１】
ディスプレイの端部のカラー線を低減するためのシステムであって、
該ディスプレイは、周辺領域及び非周辺領域を有し、該非周辺領域は少なくともディスプレイの中央画像表示部を含み、該周辺領域は少なくともディスプレイの一つの画像表示端部を含み、
該周辺領域及び該非周辺領域は複数のサブピクセルを有し、周辺領域に配置された該サブピクセルの明度は非周辺領域に配置されたサブピクセルの明度よりも小さい、システム。
【請求項２】
周辺領域に配置された前記サブピクセルは、非周辺領域に配置された前記サブピクセルより大きさが小さい、請求項１のシステム。
【請求項３】
周辺領域の少なくとも一つの前記サブピクセルの明度は、非周辺領域に配置された少なくとも一つの前記サブピクセルの明度の約３０％〜７０％である、請求項１のシステム。
【請求項４】
周辺領域の前記サブピクセルの少なくとも一部が不透明物質層によって被覆されている、請求項１のシステム。
【請求項５】
周辺領域の前記サブピクセルの少なくとも一部が半透明物質層によって被覆されている、請求項１のシステム。
【請求項６】
周辺領域に配置された前記サブピクセルの厚さが非周辺領域に配置された前記サブピクセルの厚さより厚い、請求項１のシステム。
【請求項７】
前記ディスプレイが液晶ディスプレイである、請求項１のシステム。
【請求項８】
前記サブピクセルが複数のカラーフィルターを備え、周辺領域の前記複数のカラーフィルターは同一のカラーを呈する非周辺領域のカラーフィルターと異なっている、請求項７のシステム。
【請求項９】
周辺領域の前記カラーフィルターの透過率は非周辺領域の前記カラーフィルターの透過率よりも小さい、請求項８のシステム。
【請求項１０】
周辺領域に配置された前記サブピクセルの材料の透過率が非周辺領域に配置された前記サブピクセルの材料の透過率よりも小さい、請求項１のシステム。
【請求項１１】
前記サブピクセルは３原色Ｒ，Ｇ及びＢのサブピクセルからなる、請求項１乃至１０のいずれかのシステム。
【請求項１２】
前記サブピクセルはマトリックス状に配置され、列に配置された前記サブピクセルの各々は同一のカラーである、請求項１乃至１１のいずれかのシステム。
【請求項１３】
前記周辺領域は前記ディスプレイの２つの対向側方端部からなる、請求項１乃至１２のいずれかのシステム。
【請求項１４】
前記サブピクセルはエレクトロルミネセンスディスプレイサブピクセルあるいはプラズマディスプレイサブピクセルである、請求項１乃至１３のいずれかのシステム。
【請求項１５】
非周辺領域の前記サブピクセルは第一の駆動電圧に電気的に接続され、周辺領域の前記サブピクセルは該第一の駆動電圧とは異なる第二の駆動電圧に電気的に接続されている、請求項１のシステム。
【請求項１６】
前記ディスプレイに電気的に接続されかつ該ディスプレイの画像を制御するよう作動する制御回路をさらに含む、請求項１乃至１５のいずれかのシステム。
【請求項１７】
前記ディスプレイの画像を制御する手段をさらに備えた、請求項１乃至１５のいずれかのシステム。
【請求項１８】
入力データを前記ディスプレイに付与して該ディスプレイによって画像を表示させる入力装置をさらに備える、請求項１６のシステム。
【請求項１９】
ディスプレイの端部のカラー線を低減するためのシステムであって、
該ディスプレイは、複数のピクセルを有し、該複数のピクセルはストライプ形状に配置された複数のサブピクセルを有し、かつ第一のカラーのサブピクセルは該サブピクセルの最外側の列に配置され、該最外側の列の該サブピクセルの明度は該ディスプレイのディスプレイ部の中央により近い他のサブピクセルの明度よりも低い、システム。
【請求項２０】
前記最外側の列の前記サブピクセルの少なくとも一部を視覚的に遮る手段をさらに備えた、請求項１９のシステム。
【発明の詳細な説明】
【技術分野】
【０００１】
本発明は、ディスプレイ装置に関する。
【背景技術】
【０００２】
液晶ディスプレイ（ＬＣＤ）パネル、エレクトロルミネッセンス（ＥＬ）ディスプレイパネル及びプラズマディスプレイパネル（ＰＤＰ）等のフラットパネル型ディスプレイ装置がより一般的になってきており、従来の陰極線管（ＣＲ）ディスプレイ装置に広く置き換わってきている。フラットパネル型ディスプレイ装置はテレビジョンセット、コンピュータシステム、移動電話、ゲーム機等の電子装置に採用されてきている。このようなフラットパネルディスプレイ装置に画像を表示するメカニズムはドット表示機構となっている。したがって、フラットパネル型ディスプレイ装置によって表示される画像は、カラードットを配列したものである。一つのカラードットはピクセルとも称され、ピクセルは通常３つのサブピクセルを含み、各サブピクセルは３原色である赤（Ｒ）、グリーン（Ｇ）及び青（Ｂ）の異なったいずれか一つの原色で特徴付けられる。いずれの色もこれら３原色のサブピクセルから形成されるので、対応するピクセルで所望される色はサブピクセルの照度を制御することによって得ることができる。３原色のサブピクセルの照度が等しい場合には、光が混ざり合って白色（Ｗ）として現れる。
【発明の開示】
【発明が解決しようとする課題】
【０００３】
図１は、従来のディスプレイパネルを示す模式図である。図１に示すように、ディスプレイパネルはディスプレイ領域１１０と非ディスプレイ領域１１２とを有する。複数のピクセルがディスプレイ領域１１０内に形成され、各ピクセルは３原色Ｒ，Ｂ及びＢに関し３つのサブピクセルを有する。ストライプ型のディスプレイパネルでは、Ｒ，Ｂ及びＢのサブピクセルの各々は、同じ色の他のサブピクセルと同様縦に並んで、カラーストライプを形成している。この場合には、ディスプレイ領域１１０は通常中央領域１０６と側方領域１０２と１０４とを有する。したがって、各側方領域１０２と１０４では１つの原色のみが配置されることになる。ここでは、側方領域１０２と１０４のカラーは赤と青である。この配置の場合、色の混合効果のため中央領域１０６は白色を顕著に呈することは可能である。しかしながら、側方領域１０２と１０４は色混合効果が小さく、したがって赤色および青色の線がディスプレイパネルの２つの端部では顕著となる可能性がある。
【０００４】
ディスプレイパネルの２つの端部ではカラー線が顕著となる上記現象を低減するために、図2に示す他のサブピクセル配列が提案された。図２において、最初の行のピクセル２００は図1に示すサブピクセル１００と同一のサブピクセル順序（ＲＧＢ）となっている。一方、第２行目のピクセル２２０は他のサブピクセル順序（ＢＧＲ）となっている。この従来のデザインでは、側方領域１２２はＲ，Ｂが交互に並ぶサブピクセル配列、側方領域１２４ではＢ，Ｒが交互に並ぶサブピクセル配列となっており、それによって色の混合効果を向上させている。しかしながら、図２のデザインは依然ディスプレイパネルの端部のカラー線を完全には除去できない。
【０００５】
本発明は上記の点に鑑みてなされたものであり、その目的は、ディスプレイの端部のカラー線を低減するシステムを提供することにある。
【課題を解決するための手段】
【０００６】
本発明に係るシステムは、ディスプレイの端部のカラー線を低減するためのシステムであって、該ディスプレイは、周辺領域及び非周辺領域を有し、該非周辺領域は少なくともディスプレイの中央画像表示部を含み、該周辺領域は少なくともディスプレイの一つの画像表示端部を含み、該周辺領域及び該非周辺領域は複数のサブピクセルを有し、周辺領域に配置された該サブピクセルの明度は非周辺領域に配置されたサブピクセルの明度よりも小さくなっている。
【０００７】
本発明の別の視点は、ディスプレイの端部のカラー線を低減するシステムに関し、該ディスプレイは、複数のピクセルを有し、該複数のピクセルはストライプ形態に配置された複数のサブピクセルを有し、かつ第一のカラーのサブピクセルは該サブピクセルの最外側の列に配置され、該最外側の列の該サブピクセルの明度は該ディスプレイのディスプレイ部の中央により近い他のサブピクセルの明度よりも低くなっている。
【発明の効果】
【０００８】
本発明では、ディスプレイの周辺領域のサブピクセルの有効明度を低減させているので、ディスプレイ装置の端部のカラーバランスを効果的に向上させることができる。したがって、ディスプレイの画質を改良することができる。
【発明を実施するための最良の形態】
【０００９】
本発明は、組み込んだディスプレイの端部のカラー線を低減するシステムを提供する。いくつかの実施態様では、該システムはピクセルとそれに対応するサブピクセルとを含むディスプレイ装置を組み込むものである。サブピクセルは、ディスプレイの周辺領域において有効明度を低減させる。本構成では、ディスプレイ装置の端部のカラーバランスを効果的に向上することができ、それによってディスプレイの画質を改良することができる。
【００１０】
以下、本発明を図３乃至図１１に示したいくつかの実施例に沿って詳細に説明する。ただし、以下の発明の詳細な記載は、単に例示的かつ説明的なものであって、本発明を制限することを意図するものではない。
【実施例】
【００１１】
図３は、本発明の一実施態様に係るディスプレイパネルを示す模式的平面図である。図３に示すように、ディスプレイパネルはディスプレイ領域３１０と非ディスプレイ領域３１２とを有し、複数のピクセルがディスプレイ領域３１０に配置されている。ピクセル３００等の各ピクセルは、３原色Ｒ，Ｇ，Ｂに関し例えばサブピクセル３０１Ｒ，３０１Ｇ及び３０１Ｂ等の３つのサブピクセルを含む。これらのサブピクセルは、２次元の行列配列で配置されている。図３に示す行の数と列の数は例示的なものである。本実施態様では、サブピクセルは液晶ディスプレイのサブピクセルである。しかしながら、他の実施例では、例えば、エレクトロルミネセンスディスプレイのサブピクセル（例えば、有機あるいは無機発光ダイオードのサブピクセル）あるいはプラズマディスプレイのサブピクセル等の他の種々の型式のピクセルも使用することができる。さらに、いくつかの駆動集積回路（ＩＣ）（図示せず）を非ディスプレイ領域３１２に配置し、サブピクセルを駆動する。他の実施態様では、少なくともいくつかの駆動ＩＣを他の領域に配置することもできる。
【００１２】
図３において、ディスプレイ領域は周辺領域３０２と３０３と非周辺領域３０６とを含む。Ｒ，Ｇ及びＢサブピクセルが、ストライプ形状に配置されている。すなわち、同一の列に配置されたサブピクセルは同一の色を示す。本実施態様では、サブピクセルの順序はＲＧＢであり、したがって最初の列のサブピクセルは赤で、第２の列のサブピクセルは緑である。しかしながら、他の実施例では、サブピクセルの配列順を異ならすこともできる。他の実施態様では、周辺領域３０２と３０３と非周辺領域３０６の配列は、図３に示す形状に限定されない。例えば、いくつかの実施態様では、周辺領域を非周辺領域の周囲に配置することもできる。
【００１３】
周辺領域３０２と３０３に配置したサブピクセルの明度は、非周辺領域３０６に配置したサブピクセルの明度より小さなっていることに留意する。周辺領域３０２におけるサブピクセル３０１の明度を低減するために、種々の技法を用いることができる。例えば、サブピクセルのサイズを調整するとか、不透明あるいは半透明物質層を形成するとか、及び／または駆動電圧を調整するとかである。
【００１４】
図３の実施態様では、周辺領域３０２及び３０３に配置したサブピクセルは非周辺領域のサブピクセル３０１よりも小さくなっている。周辺領域３０２と３０３のサブピクセルは非周辺領域３０６のサブピクセルよりも小さいので、周辺領域の有効明度が低減されている。
【００１５】
あるいは、同一の設計原理で、図４と図５に示すように周辺領域のサブピクセルのサイズを、一次元のみに寸法を減少させる、すなわち「一あるいは二方向に減少」させる。図４においては、ピクセル３００Ａはディスプレイパネルの端部近傍に配置された３つのサブピクセル３０１ＲＡ、３０１ＧＡ及び３０１ＢＡを有する。寸法減少方向は、（矢印で示す）列方向である。言い換えると、周辺領域３０２Ａの各サブピクセルの長さを短くしている。同様に、図５に示すように、（矢印で示す）行方向に寸法を減少することもできる。この実施態様では、周辺領域３０２Ｂの各サブピクセルの幅を減少させている。
【００１６】
基本的には、減少率を例えば約３０％−７０％とすることができる。言い換えると、非周辺領域に配置したサブピクセルの寸法に対して周辺領域のサブピクセルの寸法を約３０％−７０％とすることができる。したがって、周辺領域のサブピクセルの明度をその他のものの約３０−７０％に減少させている。
【００１７】
図６に他の実施態様を模式的に示す。周辺領域３０２Ｃのサブピクセル３０１Ｒｃのサイズは非周辺領域３０６Ｃのサブピクセルのサイズと同一である。周辺領域３０２Ｃは、サブピクセルの中央部分は外部に露出し該領域の一部を不透明物質５０２により被覆している。その結果、中央部分によって所望の明度を得ることを可能としている。言い換えると、周辺領域３０２Ｃの明度を不透明物質によって低減している。また、不透明物質のパターンは図６に示す枠形状に限定されるものではない。
【００１８】
図７は、他の実施態様を模式的に示す。周辺領域３０２Ｄのサブピクセル３０１ＲＤを半透明物質６０２で覆っている。その結果、周辺領域３０２Ｄのサブピクセル３０１ＲＤの透過率が非周辺領域３０６Ｄのサブピクセルの透過率よりも小さくなっている。
【００１９】
周辺領域のサブピクセルの不透明あるいは半透明の層（複数層の場合も含む）を誘電性層、導電性層、有機層、無機層あるいはそれらの組み合わせからなる層とすることができる。
【００２０】
図８は、さらに別の実施態様を模式的に示す。本実施態様では、周辺領域３０２Ｅのサブピクセル３０１ＲＥはカラーフィルター７０２を備えており、該カラーフィルターは非周辺領域３０６Ｅに位置する他のサブピクセルのカラーフィルターの透過率より低い透過率を示すものとしてある。透過率を低減するために、カラーフィルター７０２の材料を他のサブピクセルのカラーフィルターのものと異なるものとし、あるいはカラーフィルター７０２の厚さを他のサブピクセルのカラーフィルターよりも厚くすることができる。その結果、周辺領域３０２Ｅのサブピクセルの明度を減少させることができる。あるいは、周辺領域のサブピクセルの厚さを調節、例えばサブピクセルの厚さを厚くしてその明度を低減することができる。
【００２１】
図９は、さらに別の実施態様を示す。画像が表示される際に、サブピクセルにそれぞれ一組の駆動電圧を印加する。本実施態様では、非周辺領域３０６Ｆのサブピクセルを第１の駆動電圧Ｖ１に接続し、周辺領域３０２Ｆのサブピクセルを第２の駆動電圧に接続し、第１の電圧Ｖ１と第２の電圧Ｖ２とを異なるものとしている。駆動電圧を上げれば、通常白色型ＬＣＤの場合透過率は減少する。したがって、周辺領域３０２Ｆのサブピクセルに印加する第２の駆動電圧Ｖ２を非周辺領域３０６Ｆのサブピクセルに対する第１の駆動電圧よりも高く設定する。
【００２２】
ディスプレイを組み込んだ種々の装置に対して、カラー線を減少するシステムのさらにいくつかの実施態様を具現化することが可能である。図１０では、このようなシステムがディスプレイパネル７００及びディスプレイパネルに電気的に接続した制御回路７０２を備えたディスプレイ装置を組み込んだ例である。制御回路７０２は、ディスプレイパネル７００の画像を制御する。ディスプレイパネル７００は、上述のようにピクセル形態を備えることができる。さらに、ディスプレイパネル７００は、例えば、液晶ディスプレイ（ＬＣＤ）パネル、有機発光ダイオード（ＯＬＥＤ）ディスプレイパネルあるいは無機発光ダイオードディスプレイパネル等のエレクトロルミネセンス（ＥＬ）ディスプレイパネル、あるいはプラズマディスプレイパネル（ＰＤＰ）とすることができる。
【００２３】
図１１は、システムのさらに別の実施態様、本例では、電子装置を示す図である。図１１において、電子装置はディスプレイ装置８００とディスプレイ装置８００に入力データを付与する入力装置８０２とを有する。電子装置は、例えば、テレビジョンセット、コンピュータシステム、移動電話あるいはゲーム機とすることができる。
【００２４】
本明細書に記載した構造に対して、本発明の範囲あるいは精神から逸脱することなく種々の変更あるいは変化を加えることができることは当該技術の当業者には明らかであろう。本発明はこの発明の改良や変更を包含することを意図しており、そのような改良や変更は、特許請求の範囲及びその均等物の範囲内に含まれる。
【図面の簡単な説明】
【００２５】
【図１】従来のディスプレイパネルを示す模式的平面図である。
【図２】別の従来のディスプレイパネルを示す模式的平面図である。
【図３】本発明の一実施態様に係るディスプレイパネルを示す模式的平面図である。
【図４】本発明の別の実施態様に係るディスプレイパネルの端部近傍の一つのピクセルを示す模式的平面図である。
【図５】本発明のさらに別の実施態様に係るディスプレイパネルの端部近傍の一つのピクセルを示す模式的平面図である。
【図６】本発明のさらに別の実施態様に係るディスプレイパネルの端部近傍の一つのピクセルを示す模式的平面図である。
【図７】本発明のさらに別の実施態様に係るディスプレイパネルの端部近傍の一つのピクセルを示す模式的平面図である。
【図８】本発明のさらに別の実施態様に係るディスプレイパネルの端部近傍の一つのピクセルを示す模式的平面図である。
【図９】本発明のさらに別の実施態様に係るディスプレイパネルの端部近傍の一つのピクセルを示す模式的平面図である。
【図１０】ディスプレイ装置の一実施態様を組み込んだシステムの模式図である。
【図１１】ディスプレイ装置の別の実施態様を組み込んだ別のシステムの模式図である。
【符号の説明】
【００２６】
３００，３００Ａ、３００Ｂ．３００Ｃ．３００Ｄ，３００Ｅ，３００Ｆ・・・ピクセル
３００ＲＢ，３００ＧＢ，３００ＢＢ・・・サブピクセル
３０１Ｒ，３０１Ｇ，３０１Ｂ、３０１ＲＡ、３０１ＧＡ、３０１ＢＡ、３０１ＲＦ，３０１ＧＦ，３０１ＢＦ、・・・サブピクセル
３０２，３０２Ａ，３０２Ｂ，３０３・・・周辺領域
３０２ＲＣ，３０２ＧＣ，３０２ＢＣ、３０２ＲＤ，３０２ＧＤ，３０２ＢＤ、３０２ＲＤ，３０２ＧＤ，３０２ＢＤ、３０２ＲＥ，３０２ＧＥ，３０２ＢＥ・・・サブピクセル
３０６・・・非周辺領域
３１０・・・ディスプレイ領域
３１２・・・非ディスプレイ領域、
７００・・・ディスプレイパネル
７０２・・・制御回路
８００・・・ディスプレイ装置
８０２・・・入力装置
【図１】
2007140430.tif 000003
【図２】
2007140430.tif 000004
【図３】
2007140430.tif 000005
【図４】
2007140430.tif 000006
【図５】
2007140430.tif 000007
【図６】
2007140430.tif 000008
【図７】
2007140430.tif 000009
【図８】
2007140430.tif 000010
【図９】
2007140430.tif 000011
【図１０】
2007140430.tif 000012
【図１１】
2007140430.tif 000013